(57)【要約】【課題】効率的な活水化作用を有し、既存の水道施設にも迅速、かつ簡易に配置可能な構造を有する活水装置を提供する。【解決手段】活水装置１を、内側管壁２１に電気絶縁性を有し、可撓性に構成した管体２と、鉱物を主原料として輪郭形状に成形すると共に複数個を上記管体内に管延長に沿って直列状に配置した活水ピース３と、から構成する。上記の活水ピースの形態は、所定長さの柱状体に形成すると共に、その外周面と通水口３２の内周面に流水を変向させる右旋回の旋条３３を形成する。また、通水可能に形成したスペーサ４を、緩衝材として活水ピース毎に介在させるように配置する。上記管体は、その外側管壁２４に黒鉛、鉱物を主原料として成る塗料２４ａを塗布したり、前記原料を含有させた可撓性チューブ６で被覆しても良い。さらに、管体の下流側の終端部にはプラスイオンを接地する除電手段５を配置する。【選択図】      図１
2007072590.tif 000002
【特許請求の範囲】
【請求項１】
少なくとも内側管壁（２１）に電気絶縁性を有し、可撓性に構成した管体（２）と、
鉱物を主原料として管内径に遊びをもって適合する輪郭形状に成形すると共に、複数個を上記管体内の管延長に沿って直列状に配置した活水ピース（３）と、
から成ることを特徴とした活水装置。
【請求項２】
活水ピース（３）の形態において、
所定長さの柱状体に形成すると共にその外周面には流水を変向させる１条、又は複数条の旋条（３３）を不連続状に、又は連続状に形成したことを特徴とする請求項１記載の活水装置。
【請求項３】
活水ピース（３）の形態において、
通水方向に貫通した通水口（３２）を形成したことを特徴とする請求項１、又は２記載の活水装置。
【請求項４】
活水ピース（３）の形態において、
通水口（３２）の内周面に流水を変向させる１条、又は複数条の旋条（３３）を不連続状に、又は連続状に形成したことを特徴とする請求項３記載の活水装置。
【請求項５】
隣接した活水ピース（３）同士が当接するそれぞれの当接部に、緩衝手段（４）を一体的に、又は別体として設けたことを特徴とする請求項１、２、３、又は４記載の活水装置。
【請求項６】
別体として緩衝手段を設ける場合において、
１又は２以上の活水ピース（３）毎に、緩衝手段としてスペーサ（４）を介在させたことを特徴とする請求項５記載の活水装置。
【請求項７】
管体（２）の外側管壁（２４）に、黒鉛、鉱物から選択される１又は２以上を原料として成る塗料（２４ａ）を塗布したことを特徴とする請求項１記載の活水装置。
【請求項８】
管体（２）を、黒鉛、鉱物から選択する１又は２以上の原料を含有させて成る可撓性チューブ（６）で被覆したことを特徴とする請求項１、又は２記載の活水装置。
【請求項９】
請求項１、２、３、４、５、６、７又は８記載の活水装置に、さらに除電手段（５）を連結配置したことを特徴とする活水装置。
【請求項１０】
除電手段（５）の構成において、
流入口（５４ａ）と流出口（５５ａ）とを有する導電性の筐体（５１）と、
該筐体（５１）の外周縁を絶縁材（５２）により覆い、かつ通水管（７）と絶縁した導電性の被覆体（５３）と、
鉱物を主原料として形成した活水ピース（３）とから構成すると共に、
上記複数の活水ピース（３）を前記筐体（５１）の通水方向に沿って互いに触れることなく、かつ直列状に配置したことを特徴とする請求項９記載の活水装置。
【請求項１１】
除電手段（５）の内部に配置する活水ピース（３）の形態を、
管体内に配置する活水ピース（３）と同様の形態としたことを特徴とする請求項１０記載の活水装置。
【発明の詳細な説明】
【技術分野】
【０００１】
本願発明は、上水道に配置して水道水を活性化させる活水装置の分野に属し、特に、活水生成能力を低下させることなく、その配置位置を限定しない構成を有する活水装置に関する。
【背景技術】
【０００２】
山間部に降った雨や積雪が地中に浸透した地下水は、やがて湧き水となり川の源流を形成する。この過程において、この水は鉱物や岩石からの遠赤外線やマイナスイオン作用、磁気作用により水分子の水素結合集団（クラスタ）が細分化されたり、岩への衝突や滝からの落下などの水分子同士の摩擦から生じたマイナスイオン（電子）を受け取り還元性の水、すなわち活水となる。【０００３】
しかし、この活水の活水状態はそれほど長期間維持されずに、活水による種々の効果は徐々に失われていくものである。このため、従来から上記の活水化作用の原理を応用して、内部空間にボール状のセラミック焼成粒（以下、「セラミックボール」と称する。）を配置したり、又は磁場を形成したりするなどし、これに通水させると共に攪拌させて水流の摩擦を得ることにより、活水効果を失った水道水を再度活水化する装置（以下、「活水装置」と称する。）が実用化されていた。【０００４】
例えば、セラミックボールを内部に収納すると共に通水孔を形成したケースの複数個を、水道水の通水管に介在可能な筒状の筐体内に収納したことを特徴とする活水装置が開示されている（例えば、特許文献１参照。）。【０００５】
他にも、特許文献１の発明と同様に水道水の通水管等に介在可能な筐体内に、流通小孔を形成した近似遠赤外線放射セラミック群盤を回転自在にかつ多層状に配置し、この各セラミック盤をその盤上に形成した衝当羽により回転させる活性装置が開示されている。（例えば、特許文献２参照。）。
【特許文献１】特開２００１−０５８１９１（第３−５頁、第１図）
【特許文献２】特開２０００−１０７７５２（第２−３頁、第１図）
【発明の開示】
【発明が解決しようとする課題】
【０００６】
しかしながら、上記の特許文献に記載された活水装置は、活水化及びその活水化状態を長期維持するため等の構造的な理由により、筐体にある程度の長さを有する金属等の硬質材を採用する必要があった。このため、その配置には適度なスペースが必要とされ、配置可能な場所は限定されるものであった。つまり、従来の活水装置は、筐体に可撓性がないことから配置スペースの確保に柔軟性が無く、例えば、既存のトイレやシャワーから成るユニットバス等のスペースが限られている場所等では、迅速に配置し難いばかりか、大規模工事が必要となったり、配置自体を断念せざるを得ない場合があった。【０００７】
また、活水を使用する特定の既存装置、例えば、シャワー付トイレや洗濯機では活水の昇温が望まれる場合があった。しかし、これらの既存装置までの配管路や内部の貯留タンクに、活水装置に加えてさらに昇温装置を配置することは、スペース確保の観点からは、非常に困難なものであった。【０００８】
そこで、本願発明は上記課題を解決するために為されたものであり、限られた流路長ながら水分子の水素結合集団（クラスタ）を細分化する効率的な活水化作用と昇温作用を有し、既存の水道施設にも迅速、かつ簡易に配置可能な構造を有する活水装置を提供する。
【課題を解決するための手段】
【０００９】
上記課題を解決するため、本願発明の活水装置は、以下のように構成している。
すなわち、少なくとも内側管壁（２１）に電気絶縁性を有し、可撓性に構成した管体（２）と、鉱物を主原料として管内径に遊びをもって適合する輪郭形状に成形すると共に、複数個を上記管体内に管延長に沿って直列状に配置した活水ピース（３）と、から構成している。管内径に遊びをもった適合とは、別言すると、管内に略適合させた活水ピース（３）の外周面が、管体の内側管壁（２１）との間に所定の間隙をもたせて配置することである。【００１０】
かかる活水ピース（３）の形態は、所定長さの柱状体に形成すると共にその外周面には流水を変向させる１条、又は複数条の旋条（３３）を不連続状に、又は連続状に形成しても良く、また、活水ピース（３）に通水方向に貫通した通水口（３２）を形成しても良い。さらに該通水口（３２）の内周面に流水を変向させる１条、又は複数条の旋条（３３）を不連続状に、又は連続状に形成しても良い。かかる付加構成により、より効率的な本願発明の効果が期待できる。【００１１】
次に、直列状に配列させた複数個の活水ピース同士の当接又は衝突を考慮して、隣接した活水ピース（３）同士が当接するそれぞれの当接部に、緩衝手段（４）を一体的に、又は別体として設ける構成を採用しても良い。この緩衝手段を配置する場合、活水ピース（３）の当接部（柱状体の場合は両端部）に活水ピース（３）と一体的に緩衝材を設けても良く、また、緩衝手段（４）を活水ピース（３）とは別体として緩衝機能を持った部材（例えば、弾性材）で形成したスペーサ（４）を配置するようにしても良い。このスペーサ（４）の配置は、各活水ピース毎に配置することが好ましいが、必要な緩衝の程度により複数個毎に介在させるようにしても良い。【００１２】
このスペーサ（４）の具体例としては、例えば、略円盤状に形成して、その盤体に開口（４１）やスリット（４２）を形成して通水可能に構成したり、又は活水ピース（３）に接するようにかつ通水を妨げない性状に配置する複数の切片やボール状に形成している。
このように緩衝手段（又は緩衝部材）の取り付けにより、管体（２）の湾曲時における活水ピース（３）の円滑な移動を確保すると共に、ウォーターハンマ現象による活水ピース（３）への衝撃の吸収と活水ピース（３）同士の継続的な又は断続的な当接による破損や摩耗の防止を図っている。【００１３】
上記活水ピース（３）のより好ましい形態としては、所定長さの柱状体を成し、該柱状体の軸（３１）を流れに沿って配置した場合に、柱状体の外周面に流水を変向させる１又は２以上の旋条（３３）を連続に形成した形態である。なお、前記旋条（３３）は上流側から視て右旋回となるように形成している。【００１４】
また、活水ピース（３）は、上記構成に加えて、柱状体に軸（３１）を含む通水口（３２）を穿孔すると共に、該柱状体の軸（３１）を流れに沿って配置した場合に、通水口（３２）の内周面に流水を変向させる１又は２以上の旋条（３３）を不連続又は連続に形成したことを特徴としている。通水口（３２）に形成する旋条（３３）も外周面に形成する旋条（３３）と同様に右旋回となるように形成することが望ましい。【００１５】
可撓性に構成した管体（２）の外側管壁（２１）には、黒鉛、鉱物から選択される１又は２以上を原料として成る塗料（２４ａ）を塗布しても良い。この塗料（２４ａ）は、主原料となる黒鉛、鉱物により周囲に遠赤外線の一部である育成光線を放射するものであり、管体（２）の内部で活水ピース（３）によって旋回、変向する流水の振動エネルギーを熱エネルギーに変換する作用を有する。【００１６】
上記塗料（２４ａ）の塗布に加えて、さらに管体（２）の全体を上記塗料（２４ａ）と同様の育成光線を放射する原料を含有させて成る可撓性チューブ（６）で被覆するようにしても良い。この可撓性チューブ（６）の被覆により、管体（２）を通過する流水の振動エネルギーから熱エネルギーへの変換効率がさらに向上することとなる。【００１７】
上記構成の本願発明の活水装置（１）には、その管体（２）に除電手段（５）を配置したことを特徴としている。この除電手段（５）は活水装置（１）の下流側の終端部に配置することが望ましい。【００１８】
上記の除電手段（５）は、流入口（５４ａ）と流出口（５５ａ）とを有する導電性の筐体（５１）と、該筐体（５１）の外周縁を絶縁材（５２）により覆い、かつ通水管（７）と絶縁した導電性の被覆体（５３）と、鉱物を主原料として形成した活水ピース（３）とから構成すると共に、上記複数の活水ピース（３）を前記筐体（５１）の通水方向に沿って互いに触れることなく、かつ直列状に配置したことを特徴としている。【００１９】
なお、除電手段（５）に配置する活水ピース（３）の形態は、管体内に配置する活水ピース（３）と同様の形態としたことを特徴としている。【００２０】
なお、請求の範囲と上記の課題を解決するための手段で記載した括弧付き符号は、発明の構成の理解を容易にするため参考として図面符号を付記したもので、この図面上の形態に限定するものでないことはもちろんである。
【発明の効果】
【００２１】
本願発明の活水装置は、管体を可撓性構成、すなわち所定の曲率まで湾曲可能な構成、例えば、いわゆる蛇腹状の構成や弾力性材としているため、設置場所毎に複雑区々となることが多い配管において、管路設計の自由度が増すると共に、現場において臨機応変に対応させることができる効果を有する。このため、従来では困難であった配置場所にも大規模工事を必要とせずに、迅速に配置することが可能である。【００２２】
また、活水装置の内部に配置する活水ピースは、その外周面及び（又は）通水口の内周面に形成した旋条によって流水が接触する表面積が増大することに加え、流水に変向が加わって本願発明では上流側からみて右旋回の渦流が発生する。このため、流水は活水ピースへの接触表面積の増大や渦流状態による効率的な活水化作用を得ることができる。特に、渦流は水分子同士の衝突や摩擦からマイナスイオン化による活水化作用を促すため、流路長が限られている場合や流路全体が湾曲していても効率的な活水化を実現できる。【００２３】
さらに、活水装置は、管体の外側管壁に黒鉛、鉱物を主原料として成る塗料を塗布したり、黒鉛、鉱物を含有させた可撓性チューブで被覆することを可能としている。この塗料及び可撓性チューブは周囲に遠赤外線の一部である育成光線を放射し、管体内で渦流状態をなす流水の振動エネルギーを効率的に熱エネルギーに変換し、流水を昇温させる効果を有している。この昇温効果により、昇温が望まれるシャワー付トイレや洗濯機等の既存装置にも、特別の昇温装置を必要とせずに柔軟に配置でき、流水の活水化と昇温が可能となる。特に、循環式の貯留タンクを備えた装置であれば、流水の管体に対する通過が複数回となり、高い昇温効果を得ることができる。【００２４】
加えて、この活水装置には、除電手段を配置している。この除電手段は、活水ピースとの接触によってイオン化した流水中のプラスイオンを接地によって排除するものである。この除電手段の配置により、活水装置を通過した流水のマイナスイオン化が促進されて酸化還元電位が適宜に低くなり、より効率的な活水化作用を得る効果がある。
【発明を実施するための最良の形態】
【００２５】
以下、本願発明に係る活水装置１（以下、「本装置」と称する。）の具体的実施形態例について、図面に基づき詳細に説明する。図１は本装置の外観の一部を切り欠いて示す斜視図であり、図２は本装置の縦断面図であり、図３は本装置の組立斜視図であり、図４は本装置の外観の一部を切り欠いて示す斜視図であり、及び図５は本装置の除電手段の一部を切り欠いて示す斜視図である。【００２６】
本装置１は、図１、図２に示すように、管体２の内部空間２３に複数個の活水ピース３を管延長方向に沿って直列状に配置して構成したものである。また、前記の活水ピース３の１個毎に緩衝手段としてのスペーサ４を介在させて配置している。【００２７】
本装置１は、通常は、スペースが限定されて配置自由度が低い、例えば、マンション等のメータボックス、建家内のキッチンやユニットバス等の配管路の途中に配置するものである。また、使用水の昇温が望まれる既存装置、例えば、シャワー付トイレの貯留タンクの配管路、洗濯機内外の配管路に付帯させて配置するものである。なお、本明細書では矢印ａを水道元栓等からの流水方向とし、この流水方向を基準として上流側及び下流側と定義する。【００２８】
管体２は、電気絶縁性かつ弾力性を有する材質、例えば、ナイロン材の側面部に平行波形構造を形成して可撓性を有するように構成している。また、管体２の両端部には、通水管７や後述する除電手段５と連結するジョイント２２を配設している。【００２９】
ジョイント２２は、通水管７または除電手段５と水密に連結（本実施形態例では螺合）させるソケット２２ａと、このソケット２２ａに一端側が係合すると共に他端側を管体２の内部に嵌入したインサート２２ｂと、このインサート２２ｂの外周部に環装して管体２を狭持するホルダ２２ｃと、から構成している。このジョイント２２は管体２と水密状態を維持して連結できるものであるならば、上記の構成に限定するものではなく既存技術を適宜選択して用いても良い。例えば、急速連結装置（クイックカプラ）を採用しても良い。【００３０】
次に、管体２の内部空間（管路内）２３には、管延長方向に沿って複数個の活水ピース３、３、３、・・・・を、各別毎に緩衝手段としてのスペーサ４を介在させて直列状に配置している。活水ピース３は、例えば、多元素鉱物（珪素を主成分とし多数の元素がバランスよく含まれている鉱物）、人工電気石等を主成分として成形した焼成体（セラミックス）であり、その外形は管体２の内側管壁２１に遊びをもって適合する輪郭形状を有し、軸３１を含む通水口３２を穿孔した略円筒体を呈している。管体２の内側管壁２１に遊びをもったとは、別言すると、管体２の横断面視で内側管壁２１との間に小間隙を有することを意味している。
また、活水ピース３の外周面及び内側周面には、軸３１を流れに沿って配置した場合に、流水を変向させる旋条３３を形成している。この旋条３３は上流側から視ると右旋回（時計回り）に形成している。なお、本実施形態例では、旋条３３は外周面又は内側周面に形成した連続条であるが、不連続に形成するようにしても良い。【００３１】
この旋条３３により、活水ピース３の表面積は実質的に増大する上、活水ピース３の上流側からの水流（矢印ａ）が、右旋回方向に変向（矢印ｂ）することとなる。ところで、旋条３３を右旋回に形成した技術的理由は、流水を右旋回させると活水化作用が増大することが経験的、実験的に認められているからである。【００３２】
活水ピース間に介在させるスペーサ４は、活水ピース３の緩衝手段として機能させるため、柔軟性及び弾性を有する合成樹脂材から形成している。また、スペーサ４は、管体２の内側管壁２１との間に小間隙を有し、活水ピース３より若干大きな輪郭形状の円盤体である。スペーサ４は、中央部に開口４１を形成しており、放射方向の８箇所に外縁部に連通するスリット４２を形成している。【００３３】
上記のスペーサ４の構成、すなわち、活水ピース３より大きな輪郭形状によって前後に配置する各活水ピース３の相互の接触が防止され、開口４１及びスリット４２の形成によって円滑な通水状態を確保している。
なお、このスペーサ４は管体２の湾曲状態の確保、活水ピース３同士の接触の防止、さらにはウォーターハンマ現象による活水ピース３への衝撃吸収等の緩衝手段として機能させるため、１個毎に配置させることが望ましいが、複数個毎に配置するようにしても良い。また、その形状も円盤状に限定するものではなく、複数の切片状やボール状に形成しても良い。この場合は、各活水ピース３の上下端面に直接的に設置することが望ましい。【００３４】
上記構成の本装置１は、必要により管体２に以下の構成を付加することが可能である。すなわち、図４に示すよう、管体２の外側管壁２４の表層面に、黒鉛、鉱物から選択される１又は２以上を原料として成る塗料２４ａを塗布するようにしても良い。なお、鉱物としては、例えば、黒鉛硅石等の堆積礫岩を採用している。【００３５】
上記の塗料２４ａは、周囲に育成光線を放射している。ここで、育成光線とは、遠赤外線の６〜１４μｍの波長帯に属する電磁波であって、放射対象物の分子の振動を増幅させる「共鳴吸収現象」を有し、この振動増幅に伴う分子の摩擦増加により摩擦熱を生じさせるものである。別言すれば、育成光線は放射対象物（流水）の振動エネルギーを熱エネルギーに変換して昇温させる機能を有するものである。【００３６】
また、管体２は、上記の昇温機能の効率を向上させるため、育成構成を放射する黒鉛、鉱物から選択する１又は２以上の原料を含有させたナイロン製の可撓性チューブ６でその全長を被覆するようにしても良い。この可撓性チューブ６は上記原料から成る塗料を表面に塗布して構成することも可能である。なお、この管体２を採用する本装置１を配置する既存装置としては、流水の昇温が望まれる装置、例えば、シャワー付トイレや洗濯機が挙げられる。【００３７】
本装置１の下流側の終端部には除電手段５を配置している。この除電手段５は、導電性の硬質材から成る筐体５１の内部空間５７に、上記構成の活水ピース３の複数個を、スペーサ４を介在させて直列状に配置して構成したものである。【００３８】
筐体５１は所定長に形成した金属製円筒管の外側のほぼ全周面を電気絶縁性の絶縁材５２で覆い、かつその絶縁材５２の外周面を管状で導電性の被覆体５３により覆っている。被覆体５３には、本装置１で発生したプラスイオンを接地するためのアース端子５３ａを配設している。【００３９】
また、筐体５１の両端にはその開口を水密状に冠せた連結管５４、５５を取り付けている。この取り付け仕様は、連結管５４、５５と対向する被覆体５３の両端縁部との間に電気絶縁性の絶縁リング５６を環装させて、連結管５４、５５と被覆体５３とを電気的に絶縁して行っている。この連結管５４、５５は、それぞれ本装置１及び通水管７に直列連結して、上流側に流入口５４ａを形成し、下流側に流出口５５ａを形成している。【００４０】
流入口側の連結管５４には、その開放端の外周面に本装置１のジョイント２２と螺合連結するための雄ネジ５４ｂを刻設している。一方、流出口側の連結管５５には、その開放端の内周面に通水管７と螺合連結するための雌ネジ５５ｂを刻設している。【００４１】
該筐体５１の円筒状の内部空間５７には、本装置１の管体２に配置したものと同じ複数個（本実施例では４個）の活水ピース３、３、３、・・・を配置している。また、活水ピース３の間は、本装置１の場合と同様にスペーサ４を介在させている。【００４２】
この除電手段５は、本装置１にとって必須の構成要素ではないが、活水ピース３との接触によってイオン化した流水中のプラスイオンの方を接地によって排除する作用があり、その結果、流水中のマイナスイオンの割合を増やして流水の活水化機能をより向上させるため、付帯設置することが好ましいものである。【００４３】
本装置１は上記の構成であるため、可撓性を有する管体２が内部空間２３に配置した活水ピース３の前後で屈曲可能となり、本装置全体として多様な湾曲状態を為し、いわゆるフレキシブルチューブと同等の機能を有することとなる。また、活水ピース間にはスペーサ４を配置しているため、各活水ピース３の相互接触による摩耗が防止され、ウォーターハンマ現象による活水ピース３への衝撃も吸収されることとなる。【００４４】
また、管体２のジョイント２２からの流入水（矢印ａ）は、活水ピース３を通過する際にその外周面と通水口３２の内周面に形成した旋条３３により、流れ方向が右旋回に変向（矢印ｂ）する。そして、流入水は各活水ピース３の通過毎に変向作用が加わり、管体内で右旋回の渦流状態を呈しつつ流出水となって排出されることとなる。【００４５】
この流出水は、活水ピース３からの遠赤外線により水分子の水素結合集団（クラスタ）が細分化されると共に、この細分化した水分子同士の衝突や摩擦から効率的にマイナスイオンが生じて還元性の水となり、いわゆる活水状態を呈することとなる。【００４６】
管体２に育成光線を放射する塗料２４ａを塗布した場合、これに加えて管体２を可撓性チューブ６で被覆した場合には、流水の活水化機能に加えて昇温機能も有することとなる。
さらに、除電手段５の配置により管体内で発生したプラスイオンの接地をしているため、活水化機能がより向上している。【００４７】
ちなみに、本装置１により生成される活水は、以下の様々な効果を得ている。
例えば、一般細菌：５３０個／ｍｌ、大腸菌：陽性であった水道水の水質が、本装置１を配置した２週間程で、一般細菌：０個／ｍｌ、大腸菌：不検出となり、水質状態が著しく向上した検査結果を得た。また、本装置１の上水管路への取り付け後一ヶ月程度の測定では、水質硬度が、９４ｐｐｍが１０ｐｐｍ未満となる軟水化傾向の検査結果も得ている。
このように本願装置で処理した活性水の使用は、料理の味を向上させたり、美肌効果や保湿効果等の人体的な効能が期待できる。さらには化学的洗浄剤を不要とした洗浄効果があることも見出されて、近年特に注目されているものである。
［他の実施形態の可能性］【００４８】
本装置１は、電気絶縁性を有する管体２を採用しているが、管体２の内側管壁２１の電気絶縁性を確保すれば良く、例えば、管体２に金属製のブレードを環装するようにして管体２の保護状態を向上させても良い。この場合にはブレードにアース端子を配置して接地することが望ましい。【００４９】
また、活水ピース３は、その外周面及び内周面に凹凸の旋条３３を形成しているが、この旋条３３を独立したいわゆるフィン（羽体）を組み合わせて構成するようにしても良い。さらに、１個の活水ピース３に対して複数の通水口３２を穿孔（例えば、練炭状に複数の通水口等を形成する。）しても良い。
【図面の簡単な説明】
【００５０】
【図１】本装置の外観の一部を切り欠いて示す斜視図である。
【図２】本装置の縦断面図である。
【図３】本装置の組立斜視図である。
【図４】本装置の外観の一部を切り欠いて示す斜視図である。
【図５】本装置の除電手段の一部を切り欠いて示す斜視図である。
【符号の説明】
【００５１】
１  本装置
２  管体
２１  内側管壁
２２  ジョイント
２２ａ  ソケット
２２ｂ  インサート
２２ｃ  ホルダ
２３  内部空間
２４  外側管壁
２４ａ  塗料
３  活水ピース
３１  軸
３２  通水口
３３  旋条
４  スペーサ
４１  開口
４２  スリット
５  除電手段
５１  筐体
５２  絶縁材
５３  被覆体
５３ａ  アース端子
５４  連結管（流入口側）
５４ａ  流入口
５４ｂ  雄ネジ
５５  連結管（流出口側）
５５ａ  流出口
５５ｂ  雌ネジ
５６  絶縁リング
５７  内部空間
６  チューブ
７  通水管
【図１】
2007072590.tif 000003
【図２】
2007072590.tif 000004
【図３】
2007072590.tif 000005
【図４】
2007072590.tif 000006
【図５】
2007072590.tif 000007
【国際調査報告】
2007072590.tif 000008
2007072590.tif 000009
2007072590.tif 000010
2007072590.tif 000011